(57)【要約】      （修正有）【課題】安定した脚部にて倒れることなく確実に自立することができ、ケース本体及び脚部が縦方向にスリムになり、より持ち運びに有効である折り畳み筆記具ケースを提供する。【解決手段】ペンや消しゴム等の文具類を入れる上面を開口してなる折り畳み可能なケース本体の両側に、側面Ｘ形に形成してなる折り畳み可能な脚部を設けると共に、ケース本体に折り畳み時に上面を覆う着脱自在なカバーを設けてなることを特徴とする折り畳み筆記具ケースである。【選択図】図１
0003150101.tif 000002
【実用新案登録請求の範囲】
【請求項１】
ペンや消しゴム等の文具類を入れる上面を開口してなる折り畳み可能なケース本体の両側に、側面Ｘ形に形成してなる折り畳み可能な脚部を設けると共に、ケース本体に折り畳み時に上面を覆う着脱自在なカバーを設けてなることを特徴とする折り畳み筆記具ケース。
【請求項２】
ケース本体及び脚部を折り畳むことにより縦方向に寸法が伸び、幅がスリムになることを特徴とする請求項１記載の折り畳み筆記具ケース。
【請求項３】
ケース本体に、時計・鏡・名刺入れ・ベルト通しのいずれか１つあるいは２つ以上を設けてなることを特徴とする請求項１又は２記載の折り畳み筆記具ケース。
【考案の詳細な説明】
【技術分野】
【０００１】  本考案は、折り畳み可能な脚部を設け、自立と持ち運びに便利な折り畳み筆記具ケースに関するものである。
【背景技術】
【０００２】  従来の技術として、内部に収納空間を有する所定長さのケース本体と、このケース本体の幅方向一端側に設けられて当該ケース本体を開閉可能とする開閉手段とを備えた筆記具ケースにおいて、前記ケース本体は、前記開閉手段を閉位置にしたときに強制的な折り曲げ力を受けて折れ曲がる一方、前記開閉手段を開位置にしたときに所定角度開くことを特徴とする筆記具ケースがある。（特許文献１参照）【０００３】  また、別の従来技術として、内部に収納空間を有する所定長さのケース本体と、このケース本体の長手方向一端側に形成された出し入れ口を開閉可能とする開閉手段とを備えた筆記具ケースにおいて、前記ケース本体は、少なくとも二つのケース形成体の組み合わせからなり、これらケース形成体は、前期ケース本体の長さを変化する方向に相対移動可能に設けられていることを特徴とする筆記具ケースがある。（特許文献２参照）
【特許文献１】  特開２００２−３２０５１３号公報
【特許文献２】  特開２００２−３２０５１２号公報
【考案の開示】
【考案が解決しようとする課題】
【０００４】  上記前者は、ケース本体をチャックにて開口し、開放位置にしたとき、所定角度開いて起立可能に設けられるもので、特にその形状倒れ易く、チャックで開閉するため、内部の大きさ（容量）も限定される。【０００５】  また、上記後者は、少なくとも二つのケース形成体の組み合わせからなるもので、底部が一定の形状をしており、折り畳みでなく、持ち運びに不便なものである。【０００６】  本考案は、上記のような従来の構成が有していた問題を解決しようとするもので、折り畳み可能なケース本体と脚部を設けると共に、ケース本体の上面を覆うカバーを設けることにより、容量の大きいケース本体内に、いろいろな文具類を入れることができ、かつ、安定した脚部にて倒れることなく確実に自立することができる。
また、折り畳めることにより持ち運びに便利であり、カバーにより中の文具類が外へ飛び出ることもない。
さらに、ケース本体及び脚部が縦方向にスリムになり、より持ち運びに有効である折り畳み筆記具ケースを提供することを目的とする。
【課題を解決するための手段】
【０００７】  本考案は、上記目的を達成するため、ペンや消しゴム等の文具類を入れる上面を開口してなる折り畳み可能なケース本体の両側に、側面Ｘ形に形成してなる折り畳み可能な脚部を設けると共に、ケース本体に折り畳み時に上面を覆う着脱自在なカバーを設けてなる。
ケース本体及び脚部を折り畳むことにより縦方向に寸法が伸び、幅がスリムになる。
ケース本体に、時計・鏡・名刺入れ・ベルト通しのいずれか１つあるいは２つ以上を設けてなることを特徴とする。
【考案の効果】
【０００８】１）、折り畳み可能なケース本体と脚部を設けると共に、ケース本体の上面を覆うカバーを設けることにより、容量の大きいケース本体内に多くの文具類を入れることができ、かつ、安定した脚部により確実に自立できる。
２）、折り畳めることにより持ち運びに便利であり、カバーにより中の文具類が外へ飛び出ることがない。
３）、ケース本体及び脚部が縦方向にスリムになるため、特に長寸のペンや定規等も収納できる。また、自立時にはペン当が突出するため取りだし易い。
【考案の実施するための最良の形態】
【０００９】  １は、折り畳み筆記具ケースである。
２は、布製等による折り畳み自在なケース本体で、上面開口した箱状に形成した第１本体２ａ上面両端に、後述する脚部の上脚に取り付ける取付部２ａ１を設けると共に、第１本体２ａの下面一側端より水平方向から垂直方向に延出した第２本体２ｂの先端部２ｂ１を同様に上記上脚に取り付けてある。
３は、上記第２本体２ｂの先端部２ｂ１に連設して上記第１本体２ａの上面を覆う大きさで、先端下面に上記凹凸テープＴに対応する凹凸テープＴ１を設けた伸縮機能を有するゴム等によるカバーである。
４は、上記ケース本体２の両側に、側面Ｘ形に形成してなる折り畳み可能な脚部で、上端は上脚４ａで連設されてなり、下方は下脚４ｂにて連結してある。
なお、ケース本体２における第２本体２ｂの前面に時計ＴＫを設けることにより会議の時間をチェックできると共に、第１本体２ａの背面に鏡や名刺入れ、ベルト通し等Ｆを付設してもよい。
【００１０】  折り畳み筆記具ケース１の使用例について説明する。
通常は、折り畳み筆記具ケース１の第１本体２ａを開口（開放）しており、カバー３を内側に入れ込み、中にペンＰやホッチキスや消しゴムＫを入れて脚部４・４を開いてテーブルＴＢ上に立設して、会議中等において使用する。
【００１１】  つぎに、会議等が終わり移動するときは、脚部４・４を折り畳むことにより同時に第１本体２ａが上脚４ａ・４ａにて折り畳まれると共に、下脚４ｂ・４ｂにて第２本体２ｂが折り畳まれ、全体的に縦長状になり、最終的にはカバー３の凹凸テープＴ１を凹凸テープＴに貼りつけ、必要に応じてベルト通し等Ｆにベルト（図示せず）を通し、移動することができる。
【００１２】  上記実施例のように形成した折り畳み筆記具ケースのケース本体の材質は皮等も考えられ、特に限定しない。また、脚部においても同様である。
さらに、付設するものも必要に応じて決めればよい。
【図面の簡単な説明】
【００１３】
【図１】  本考案の折り畳み筆記具ケースの正面図。
【図２】  本考案の折り畳み筆記具ケースの側面図。
【図３】  本考案の折り畳み筆記具ケースの平面図。
【図４】  本考案の折り畳み筆記具ケースの縦断側面図。
【図５】  本考案の折り畳み筆記具ケースの折り畳んだ状態図。
【図６】  本考案の折り畳み筆記具ケースの使用時立設状態図。
【図７】  本考案の折り畳み筆記具ケースの使用折り畳み状態図。
【符号の説明】
【００１４】１−−−折り畳み筆記具ケース
２−−−ケース本体
２ａ−−第１本体
２ａ１−取付部
２ｂ−−第２本体
２ｂ１−先端部
３−−−カバー
４−−−脚部
４ａ−−上脚
４ｂ−−下脚
Ｔ−−−凹凸テープ
Ｔ１−−凹凸テープ
ＴＫ−−時計
Ｐ−−−ペン
ＴＢ−−テーブル
Ｆ−−−ベルト通し等
【図１】
0003150101.tif 000003
【図２】
0003150101.tif 000004
【図３】
0003150101.tif 000005
【図４】
0003150101.tif 000006
【図５】
0003150101.tif 000007
【図６】
0003150101.tif 000008
【図７】
0003150101.tif 000009